(57)【要約】【課題】番組情報の送出回数が４回／１日と少ないと言う問題点と選局装置が１つしかないシステムにおいては、放送受信中、もしくは、選局装置が２つあるシステムでは、２画面受信中に番組情報が抜き取れない問題点があった。【解決手段】番組情報を抜き取る番組情報抜取装置１０６と番組情報を記憶する番組情報記憶装置１０８と番組情報記憶装置に記憶された番組の伝送情報から番組情報を抜き取るためのコマンドを発行、ロック情報を識別する番組情報選択装置１０７と番組情報選択装置からコマンドを受信する選択手段１０３と指定の信号に切換える映像切換装置１０２を構成する事で限られた伝送回数や番組情報抜き取りシステムにおいて確実に番組情報を抜き取る機能を実現した番組情報抜取装置が得られる。【選択図】  図１
2004222133.tif 000002
【特許請求の範囲】
【請求項１】
入力信号から特定の選局情報を出力する選局装置Ａと、前記選局装置で選局した映像信号を選択手段により指定された状態に切換える映像切換装置と、番組情報選択装置からコマンドを受信して映像切換装置を切換える選択手段と、入力信号から特定の選局情報を出力する選局装置と、前記選局装置で選局した映像信号と映像切換装置から出力された映像信号を選択する映像選択装置と、前記映像選択装置から出力された信号から番組情報を抜き取る番組情報抜取装置と、前記番組情報抜取装置から抜き取った番組情報と番組情報記憶装置に記憶されている番組情報、番組記憶装置に記憶されている伝送情報から番組情報を抜き取るためのコマンドを発行、ロック情報を識別する番組情報選択装置と、前記番組情報選択装置で選択した番組情報、伝送情報を記憶する番組情報記憶装置と、前述した映像選択装置から出力された映像信号を処理する映像処理装置と、前記映像処理で処理された映像信号と、前述した番組表選択装置で選択した番組表情報を合成する映像合成装置と、前記映像合成装置で合成された信号を表示する映像表示装置を備えることを特徴とする番組情報抜取装置。
【請求項２】
請求項１に記載の選択手段と番組情報選択装置において、上記コマンドは、ＩＲで通信することを特徴とする番組情報選択装置。
【請求項３】
請求項１に記載の選択手段と番組情報選択装置において、上記コマンドと、映像選択装置において入力される映像信号は、無線通信することを特徴とする番組情報選択装置。
【請求項４】
入力信号から特定の選局情報を出力する選局装置Ａと、前記選局装置で選局した映像信号を選択手段により指定された状態に切換える映像切換装置と、番組情報選択装置からコマンドを受信して映像切換装置を切換える選択手段と、入力信号から特定の選局情報を出力する選局装置と、入力信号から特定の選局情報を出力する選局装置Ｂと、前記選局装置、選局装置Ｂで選局した映像信号と映像切換装置から出力された映像信号を選択する映像選択装置と、前記映像選択装置から出力された信号から番組情報を抜き取る番組情報抜取装置と、前記番組情報抜取装置から抜き取った番組情報と番組情報記憶装置に記憶されている番組情報、番組記憶装置に記憶されている伝送情報から番組情報を抜き取るためのコマンドを発行、ロック情報を識別する番組情報選択装置と、前記番組情報選択装置で選択した番組情報、伝送情報を記憶する番組情報記憶装置と、前述した映像選択装置から出力された映像信号を処理する映像処理装置と、前記映像処理で処理された映像信号と、前述した番組表選択装置で選択した番組表情報を合成する映像合成装置と、前記映像合成装置で合成された信号を表示する映像表示装置を備えることを特徴とする番組情報抜取装置。
【発明の詳細な説明】
【０００１】
【発明の属する技術分野】
本発明はデータ放送の受信、表示することができる番組情報抜取装置に関するものである。
【０００２】
【従来の技術】
以下に従来の番組情報抜取装置について説明する。図３は、従来の番組情報抜取装置の構成を示すものである。３０１は、入力信号から特定の選局情報を出力する選局装置である。３０２は、選局した映像信号を選択する映像選択装置である。３０３は、映像選択装置から出力された信号から番組情報を抜き取る番組情報抜取装置である。３０４は、番組情報抜取装置から抜き取った番組情報と番組情報記憶装置に記憶されている番組情報を選択する番組情報選択装置である。３０５は、番組情報を記憶する番組情報記憶装置である。３０６は、映像信号を処理する映像処理装置である。３０７は、映像処理で処理された映像信号と、番組表選択装置で選択した番組表情報を合成する映像合成装置である。３０８は、合成された信号を表示する映像表示装置である。
【０００３】
以上の様に構成された番組情報抜取装置について、以下、その動作について説明する。選局装置３０１で特定の選局情報を選局した信号を映像選択装置３０２で選択する。また、番組情報抜取装置３０３で番組情報を抜き取り、番組情報選択装置３０４では、番組情報抜取装置で抜き取った番組情報と番組情報記憶装置に記憶されている番組情報を選択する。また、番組表記憶装置３０５では、番組表抜取装置で抜き取った番組表情報を記憶する。映像処理装置３０６で映像信号を処理して映像合成装置３０７で映像信号と番組情報を合成して、映像表示装置３０８で表示する機能を実現することができる（例えば、特許文献１参照）。
【０００４】
【特許文献１】
特開平０４−２１３９８３号公報
【０００５】
【発明が解決しようとする課題】
しかしながら上記の従来の構成では、番組情報の送出回数が４回／１日と少ないと言う問題点と選局装置が１つしかないシステムにおいては、放送受信中に番組情報を抜き取ることができなかった。
【０００６】
また、選局装置が２つあるシステムにおいては、２画面受信中に番組情報を抜き取ることができなかった。
【０００７】
本発明は、上記の問題点を解決するもので、番組情報抜取装置で抜き取った番組情報と番組情報記憶装置に記憶した番組情報から伝送情報を識別して選択手段に対してコマンド、例えば、ＩＲ、無線によって通信することで番組情報の伝送時間に他の選局装置、例えば、他のテレビ、ビデオ、チューナーの選局装置から特定の選局情報を選局する構成をとることで、選局装置のシステムに影響されずに番組情報を抜き取ることができる番組情報抜取装置を提供することを目的とする。
【０００８】
さらに、番組情報選択装置で他の選局装置のロック情報を識別する。また、映像合成装置で合成して映像表示装置で表示する構成をとることで、番組情報の利用者に録画予約、視聴予約の操作で選局装置のロック情報を表示することで、予約操作による番組情報の抜き取り失敗をなくす番組情報抜取装置を提供することを目的とする。
【０００９】
【課題を解決するための手段】
本発明の請求項１に記載の発明は、入力信号から特定の選局情報を出力する選局装置Ａと、前記選局装置で選局した映像信号を選択手段により指定された状態に切換える映像切換装置と、番組情報選択装置からコマンドを受信して映像切換装置を切換える選択手段と、入力信号から特定の選局情報を出力する選局装置と、前記選局装置で選局した映像信号と映像切換装置から出力された映像信号を選択する映像選択装置と、前記映像選択装置から出力された信号から番組情報を抜き取る番組情報抜取装置と、前記番組情報抜取装置から抜き取った番組情報と番組情報記憶装置に記憶されている番組情報、番組記憶装置に記憶されている伝送情報から番組情報を抜き取るためのコマンドを発行、ロック情報を識別する番組情報選択装置と、前記番組情報選択装置で選択した番組情報、伝送情報を記憶する番組情報記憶装置と、前述した映像選択装置から出力された映像信号を処理する映像処理装置と、前記映像処理で処理された映像信号と、前述した番組表選択装置で選択した番組表情報を合成する映像合成装置と、前記映像合成装置で合成された信号を表示する映像表示装置を備えることを特徴とする番組情報抜取装置としたもので、番組情報抜取装置で抜き取った番組情報と番組情報記憶装置に記憶した番組情報から伝送情報を識別、また、番組情報の伝送時間に他の選局装置から特定の選局情報を選局する映像選択装置により、選局装置が１つしかないシステムにおいて、放送受信中に番組情報を抜き取ることができる。さらに、番組情報の利用者に録画予約、視聴予約の操作で選局装置のロック情報を表示することで、予約操作による番組情報の抜き取り失敗をなくすことができる作用を有する。
【００１０】
本発明の請求項２に記載の発明は、請求項１に記載の選択手段と番組情報選択装置において、上記コマンドは、ＩＲで通信することを特徴とする番組情報選択装置としたもので、番組情報抜取装置からのコマンド発行をＩＲ（例えば、片方向、双方向）を利用することで、市販されている選局装置（例えば、テレビ、ビデオ、チューナー）を利用して簡単に番組情報の抜き取り失敗をなくすことができる作用を有する。
【００１１】
本発明の請求項３に記載の発明は、請求項１に記載の選択手段と番組情報選択装置において、上記コマンドと、映像選択装置において入力される映像信号は、無線通信することを特徴とする番組情報選択装置としたもので、番組情報選択装置からのコマンド発行と映像選択装置への信号入力を無線を利用することで、利用者が購入している使用していない選局装置を利用して簡単に番組情報の抜き取り失敗をなくすことができる作用を有する。
【００１２】
本発明の請求項４に記載の発明は、入力信号から特定の選局情報を出力する選局装置Ａと、前記選局装置で選局した映像信号を選択手段により指定された状態に切換える映像切換装置と、番組情報選択装置からコマンドを受信して映像切換装置を切換える選択手段と、入力信号から特定の選局情報を出力する選局装置と、入力信号から特定の選局情報を出力する選局装置Ｂと、前記選局装置、選局装置Ｂで選局した映像信号と映像切換装置から出力された映像信号を選択する映像選択装置と、前記映像選択装置から出力された信号から番組情報を抜き取る番組情報抜取装置と、前記番組情報抜取装置から抜き取った番組情報と番組情報記憶装置に記憶されている番組情報、番組記憶装置に記憶されている伝送情報から番組情報を抜き取るためのコマンドを発行、ロック情報を識別する番組情報選択装置と、前記番組情報選択装置で選択した番組情報、伝送情報を記憶する番組情報記憶装置と、前述した映像選択装置から出力された映像信号を処理する映像処理装置と、前記映像処理で処理された映像信号と、前述した番組表選択装置で選択した番組表情報を合成する映像合成装置と、前記映像合成装置で合成された信号を表示する映像表示装置を備えることを特徴とする番組情報抜取装置としたもので、番組情報抜取装置で抜き取った番組情報と番組情報記憶装置に記憶した番組情報から伝送情報を識別、また、番組情報の伝送時間に他の選局装置から特定の選局情報を選局する映像選択装置により、選局装置が２つあるシステムにおいて、２画面受信中に番組情報を抜き取ることができる。さらに、番組情報の利用者に録画予約、視聴予約の操作で選局装置のロック情報を表示することで、予約操作による番組情報の抜き取り失敗をなくすことができる作用を有する。
【００１３】
【発明の実施の形態】
（実施の形態１）
図１は番組情報抜取装置の動作を示し、図１において、１０１は選局装置Ａ、１０２は映像切換装置、１０３は選択手段である。また、１０４は選局装置、１０５は映像選択装置、１０６は番組情報抜取装置、１０７は番組情報選択装置、１０８は番組情報記憶装置、１０９は映像処理装置、１１０は映像合成装置、１１１は映像表示装置である。
【００１４】
以上のように構成された番組情報抜取装置について、以下その動作について説明する。
【００１５】
選局装置Ａ１０１は、入力信号（入力信号は、ＲＦ信号、デジタル信号を問わない。）から特定の選局情報を出力する。映像切換装置１０２は、選局装置Ａで選局した映像信号を選択手段により指定された状態に切換える。選択手段１０３は、番組情報選択装置からコマンドを受信して映像切換装置を切換える。
【００１６】
選局装置１０４は、入力信号（入力信号は、ＲＦ信号、デジタル信号を問わない。）から特定の選局情報を出力する。映像選択装置１０５は、前記選局装置で選局した映像信号と映像切換装置から出力された映像信号を選択する。番組情報抜取装置１０６は、前記映像選択装置から出力された信号（信号は、ＲＦ信号、デジタル信号を問わない。）から番組情報を抜き取る。番組情報選択装置１０７は、前記番組情報抜取装置から抜き取った番組情報と番組情報記憶装置に記憶されている番組情報、番組記憶装置に記憶されている伝送情報から番組情報を抜き取るためのコマンドを発行、ロック情報を識別する。
【００１７】
番組情報記憶装置１０８は、前記番組情報選択装置で選択した番組情報、伝送情報を記憶する。例えば、番組情報記憶装置は、フラッシュメモリー、不揮発性メモリー、ＳＤカード、ＭＭＣカード、ＲＡＭであっても構わない。また、記憶するデータは、圧縮、非圧縮を問わない。
【００１８】
映像処理装置１０９は、前述した映像選択装置から出力された映像信号を処理する。映像合成装置１１０は、前記映像処理で処理された映像信号と、前述した番組表選択装置で選択した番組表情報、ロック情報を合成する。映像表示装置１１１は、前記映像合成装置で合成された信号を表示する。例えば、映像表示装置は、ＣＲＴ（直視管）、ＰＴＶ、液晶、ＰＤＰ、ＤＬＰであっても構わない。
【００１９】
以上のような実施形態によれば、選局装置が１つしかないシステムにおいて、放送受信中に番組情報を抜き取ることができる。さらに、番組情報の利用者に録画予約、視聴予約の操作で選局装置のロック情報を表示することで、予約操作による番組情報の抜き取り失敗をなくすことができる。
【００２０】
（実施の形態２）
図１は番組情報抜取装置の動作を示し、図１において、１０１は選局装置Ａ、１０２は映像切換装置、１０３は選択手段である。また、１０４は選局装置、１０５は映像選択装置、１０６は番組情報抜取装置、１０７は番組情報選択装置、１０８は番組情報記憶装置、１０９は映像処理装置、１１０は映像合成装置、１１１は映像表示装置である。
【００２１】
以上のように構成された番組情報抜取装置について、以下その動作について説明する。
【００２２】
選局装置Ａ１０１は、入力信号（入力信号は、ＲＦ信号、デジタル信号を問わない。）から特定の選局情報を出力する。映像切換装置１０２は、選局装置Ａで選局した映像信号を選択手段により指定された状態に切換える。選択手段１０３は、番組情報選択装置からコマンドを受信して映像切換装置を切換える。
【００２３】
選局装置１０４は、入力信号（入力信号は、ＲＦ信号、デジタル信号を問わない。）から特定の選局情報を出力する。映像選択装置１０５は、前記選局装置で選局した映像信号と映像切換装置から出力された映像信号を選択する。番組情報抜取装置１０６は、前記映像選択装置から出力された信号（信号は、ＲＦ信号、デジタル信号を問わない。）から番組情報を抜き取る。
【００２４】
番組情報選択装置１０７は、前記番組情報抜取装置から抜き取った番組情報と番組情報記憶装置に記憶されている番組情報、番組記憶装置に記憶されている伝送情報から番組情報を抜き取るためのコマンドを発行、ロック情報を識別する。番組情報記憶装置１０８は、前記番組情報選択装置で選択した番組情報、伝送情報を記憶する。例えば、番組情報記憶装置は、フラッシュメモリー、不揮発性メモリー、ＳＤカード、ＭＭＣカード、ＲＡＭであっても構わない。また、記憶するデータは、圧縮、非圧縮を問わない。
【００２５】
映像処理装置１０９は、前述した映像選択装置から出力された映像信号を処理する。映像合成装置１１０は、前記映像処理で処理された映像信号と、前述した番組表選択装置で選択した番組表情報、ロック情報を合成する。映像表示装置１１１は、前記映像合成装置で合成された信号を表示する。例えば、映像表示装置は、ＣＲＴ（直視管）、ＰＴＶ、液晶、ＰＤＰ、ＤＬＰであっても構わない。
【００２６】
以上のような実施形態によれば、選局装置が１つしかないシステムにおいて、放送受信中に番組情報を抜き取ることができる。さらに、番組情報の利用者に録画予約、視聴予約の操作で選局装置のロック情報を表示することで、予約操作による番組情報の抜き取り失敗をなくすことができる。さらに、番組情報抜取装置からのコマンド発行をＩＲ（例えば、片方向、双方向）を利用することで、市販されている選局装置（例えば、テレビ、ビデオ、チューナー）を利用して簡単に番組情報の抜き取り失敗をなくすことができる。
【００２７】
（実施の形態３）
図１は番組情報抜取装置の動作を示し、図１において、１０１は選局装置Ａ、１０２は映像切換装置、１０３は選択手段である。また、１０４は選局装置、１０５は映像選択装置、１０６は番組情報抜取装置、１０７は番組情報選択装置、１０８は番組情報記憶装置、１０９は映像処理装置、１１０は映像合成装置、１１１は映像表示装置である。
【００２８】
以上のように構成された番組情報抜取装置について、以下その動作について説明する。
【００２９】
選局装置Ａ１０１は、入力信号（入力信号は、ＲＦ信号、デジタル信号を問わない。）から特定の選局情報を出力する。映像切換装置１０２は、選局装置Ａで選局した映像信号を選択手段により指定された状態に切換える。選択手段１０３は、番組情報選択装置からコマンドを受信して映像切換装置を切換える。
【００３０】
選局装置１０４は、入力信号（入力信号は、ＲＦ信号、デジタル信号を問わない。）から特定の選局情報を出力する。映像選択装置１０５は、前記選局装置で選局した映像信号と映像切換装置から出力された映像信号を選択する。番組情報抜取装置１０６は、前記映像選択装置から出力された信号（信号は、ＲＦ信号、デジタル信号を問わない。）から番組情報を抜き取る。
【００３１】
番組情報選択装置１０７は、前記番組情報抜取装置から抜き取った番組情報と番組情報記憶装置に記憶されている番組情報、番組記憶装置に記憶されている伝送情報から番組情報を抜き取るためのコマンドを発行、ロック情報を識別する。番組情報記憶装置１０８は、前記番組情報選択装置で選択した番組情報、伝送情報を記憶する。例えば、番組情報記憶装置は、フラッシュメモリー、不揮発性メモリー、ＳＤカード、ＭＭＣカード、ＲＡＭであっても構わない。また、記憶するデータは、圧縮、非圧縮を問わない。
【００３２】
映像処理装置１０９は、前述した映像選択装置から出力された映像信号を処理する。映像合成装置１１０は、前記映像処理で処理された映像信号と、前述した番組表選択装置で選択した番組表情報、ロック情報を合成する。映像表示装置１１１は、前記映像合成装置で合成された信号を表示する。例えば、映像表示装置は、ＣＲＴ（直視管）、ＰＴＶ、液晶、ＰＤＰ、ＤＬＰであっても構わない。
【００３３】
以上のような実施形態によれば、選局装置が１つしかないシステムにおいて、放送受信中に番組情報を抜き取ることができる。さらに、番組情報の利用者に録画予約、視聴予約の操作で選局装置のロック情報を表示することで、予約操作による番組情報の抜き取り失敗をなくすことができる。さらに、番組情報選択装置からのコマンド発行と映像選択装置への信号入力を無線を利用することで、利用者が購入している使用していない選局装置を利用して簡単に番組情報の抜き取り失敗をなくすことができる。
【００３４】
（実施の形態４）
図２は番組情報表示装置の動作を示し、図２において、２０１は選局装置Ａ、２０２は映像切換装置、２０３は選択手段である。また、２０４は選局装置、２０５は選局装置Ｂ、２０６は映像選択装置、２０７は番組情報抜取装置、２０８は番組情報選択装置、２０９は番組情報記憶装置、２１０は映像処理装置、２１１は映像合成装置、２１２は映像表示装置である。
【００３５】
以上のように構成された番組情報抜取装置について、以下その動作について説明する。
【００３６】
選局装置Ａ２０１は、入力信号（入力信号は、ＲＦ信号、デジタル信号を問わない。）から特定の選局情報を出力する。映像切換装置２０２は、選局装置Ａで選局した映像信号を選択手段により指定された状態に切換える。選択手段２０３は、番組情報選択装置からコマンドを受信して映像切換装置を切換える。
【００３７】
選局装置２０４は、入力信号（入力信号は、ＲＦ信号、デジタル信号を問わない。）から特定の選局情報を出力する。選局装置Ｂ２０５は、入力信号（入力信号は、ＲＦ信号、デジタル信号を問わない。）から特定の選局情報を出力する。映像選択装置２０６は、前記選局装置、選局装置Ｂで選局した映像信号と映像切換装置から出力された映像信号を選択する。番組情報抜取装置２０７は、前記映像選択装置から出力された信号（信号は、ＲＦ信号、デジタル信号を問わない。）から番組情報を抜き取る。
【００３８】
番組情報選択装置２０８は、前記番組情報抜取装置から抜き取った番組情報と番組情報記憶装置に記憶されている番組情報、番組記憶装置に記憶されている伝送情報から番組情報を抜き取るためのコマンドを発行、ロック情報を識別する。番組情報記憶装置２０９は、前記番組情報選択装置で選択した番組情報、伝送情報を記憶する。例えば、番組情報記憶装置は、フラッシュメモリー、不揮発性メモリー、ＳＤカード、ＭＭＣカード、ＲＡＭであっても構わない。また、記憶するデータは、圧縮、非圧縮を問わない。
【００３９】
映像処理装置２１０は、前述した映像選択装置から出力された映像信号を処理する。映像合成装置２１１は、前記映像処理で処理された映像信号と、前述した番組表選択装置で選択した番組表情報、ロック情報を合成する。映像表示装置２１２は、前記映像合成装置で合成された信号を表示する。例えば、映像表示装置は、ＣＲＴ（直視管）、ＰＴＶ、液晶、ＰＤＰ、ＤＬＰであっても構わない。
【００４０】
以上のような実施形態によれば、選局装置が２つあるシステムにおいては、２画面受信中に番組情報を抜き取ることができる。さらに、番組情報の利用者に録画予約、視聴予約の操作で選局装置のロック情報を表示することで、予約操作による番組情報の抜き取り失敗をなくすことができる。
【００４１】
【発明の効果】
以上、説明したように本発明の番組情報抜取装置によれば番組情報抜取装置で抜き取った番組情報と番組情報記憶装置に記憶した番組情報から伝送情報を識別して選択手段に対してコマンド、例えば、ＩＲ、無線によって通信することで番組情報の伝送時間に他の選局装置、例えば、他のテレビ、ビデオ、チューナーの選局装置から特定の選局情報を選局する構成をとることで、選局装置のシステムに影響されずに番組情報を抜き取ることができる。
【００４２】
さらに、番組情報選択装置で他の選局装置のロック情報を識別する。また、映像合成装置で合成して映像表示装置で表示する構成をとることで、番組情報の利用者に録画予約、視聴予約の操作で選局装置のロック情報を表示することで、予約操作による番組情報の抜き取り失敗をなくすことができる。
【００４３】
番組情報の送出回数が４回／１日と少ないと言う問題点と選局装置が１つしかないシステムにおいては、放送受信中に番組情報を抜き取ることができる。また、選局装置が２つあるシステムにおいては、２画面受信中に番組情報を抜き取ることができる番組情報抜取装置を実現できる。
【図面の簡単な説明】
【図１】本発明の第１の実施例、第２の実施例、第３の実施例における番組情報抜取装置の動作を説明するための構成を示す図
【図２】本発明の第４の実施例における番組情報抜取装置の動作を説明するための構成を示す図
【図３】従来の番組情報抜取装置の構成を示す図
【符号の説明】
１０１、２０１  選局装置Ａ
１０２、２０２  映像切換え装置
１０３、２０３  選択手段
１０４、２０４、３０１  選局装置
１０５、２０６、３０２  映像選択装置
１０６、２０７、３０３  番組情報抜取装置
１０７、２０８、３０４  番組情報選択装置
１０８、２０９、３０５  番組情報記憶手段
１０９、２１０、３０６  映像処理装置
１１０、２１１、３０７  映像合成装置
１１１、２１２、３０８  映像表示装置
２０５  選局装置Ｂ
【図１】
2004222133.tif 000003
【図２】
2004222133.tif 000004
【図３】
2004222133.tif 000005